(57)【要約】【課題】可搬型記憶媒体を用いて対象とする制御機器に対応した制御情報が設定できるようにする。【解決手段】照合情報読出部１０５は、接続部１０４に接続された可搬型記憶媒体に記憶されている照合情報を読み出す。照合部１０６は、照合情報読出部１０５が読み出した照合情報と識別情報記憶部１０３に記憶されている装置識別との照合により照合情報の認証を行う。設定情報設定部１０７は、照合部１０６により照合情報の認証がされたことにより、接続部１０４に接続された可搬型記憶媒体に記憶されている設定情報を読み出して設定情報記憶部１０１に設定する。【選択図】  図１
2017097525.tif 000002
【特許請求の範囲】
【請求項１】
設定情報を記憶した設定情報記憶部と、
前記設定情報記憶部に記憶されている設定情報をもとに制御データを生成する制御処理部と、
自装置に設定すべき設定情報を識別する装置識別が記憶された識別情報記憶部と、
可搬型記憶媒体が接続される接続部と、
前記接続部に接続された可搬型記憶媒体に記憶されている照合情報を読み出す照合情報読出部と、
前記照合情報読出部が読み出した照合情報と前記識別情報記憶部に記憶されている前記装置識別との照合により前記照合情報の認証を行う照合部と、
前記照合部により前記照合情報の認証がされたことにより前記接続部に接続された前記可搬型記憶媒体に記憶されている設定情報を読み出して前記設定情報記憶部に設定する設定情報設定部と
を備えることを特徴とする制御機器。
【請求項２】
請求項１記載の制御機器において、
前記設定情報設定部は、前記照合部に認証された照合情報に対応する設定情報を前記可搬型記憶媒体より読み出して前記設定情報記憶部に設定する
ことを特徴とする制御機器。
【請求項３】
請求項１または２記載の制御機器において、
前記照合部により前記照合情報の認証がされたことにより前記接続部に接続された前記可搬型記憶媒体に記憶されている設定情報を識別する設定識別情報を読み出し、読み出した設定識別情報を表示部に表示する表示制御部と、
前記表示部に表示された設定識別情報の選択指示を受け付ける入力部と
を備え、
前記設定情報設定部は、前記入力部が選択指示を受け付けたことにより前記可搬型記憶媒体に記憶されている設定情報を読み出して前記設定情報記憶部に設定する
ことを特徴とする制御機器。
【請求項４】
請求項３記載の制御機器において、
前記接続部に接続された可搬型記憶媒体に記憶されている設定情報の中より自動を示す属性情報を備える設定情報を選択する自動選択部を備え、
前記表示制御部は、前記接続部に接続された可搬型記憶媒体に記憶されている設定情報の中より前記自動選択部による選択対象外の設定情報の設定識別情報を読み出して表示部に表示し、
前記設定情報設定部は、前記自動選択部により選択された設定情報は、前記照合部により前記照合情報の認証がされたことにより可搬型記憶媒体より読み出して前記設定情報記憶部に設定し、前記自動選択部による選択対象外の設定情報は、前記入力部が選択指示を受け付けたことにより前記可搬型記憶媒体より読み出して前記設定情報記憶部に設定する
ことを特徴とする制御機器。
【請求項５】
請求項１〜４のいずれか１項に記載の制御機器において、
前記装置識別は、自装置のシリアル番号であることを特徴とする制御機器。
【請求項６】
請求項１〜４のいずれか１項に記載の制御機器において、
前記装置識別は、自装置の型番であることを特徴とする制御機器。
【請求項７】
請求項６記載の制御機器において、
前記装置識別は、前記型番と前記自装置における機能を識別するコードとを組み合わせたものであることを特徴とする制御機器。
【請求項８】
請求項１〜７のいずれか１項に記載の制御機器において、
前記設定情報設定部は、設定されている許可および不許可を示す可否情報が許可の場合にのみ、前記設定情報の前記設定情報記憶部への設定を実施する
ことを特徴とする制御機器。
【発明の詳細な説明】
【技術分野】
【０００１】
本発明は、制御システムによる制御対象の制御機器に関するものである。
【背景技術】
【０００２】
例えば、建築物に付帯している各設備の監視制御や、プラントなどの制御には制御装置や機器管理装置などによる制御システムが用いられている。制御システムは、ネットワークにより接続している現場に設置されたプロセス機器や各種センサなどのフィールド機器との間で信号をやりとりしている。このような制御システムでは、制御および監視の対象となる機器（制御機器）が多数にわたり、これらを表す情報も、生産に関わる運転，生産管理，製造方法，機器管理など多種多様にわたっている。
【０００３】
上述した制御機器として、温度や流量などのアナログプロセス量を制御するために調節計がある。調節計は、例えば、製造設備やビル管理などのオートメーションシステム向けの制御に用いられている。調節計は、ＣＰＵを主体として構成され、温度などのアナログ量をＰＩＤ制御など、設定された目標値へ保つ機能と各機能の動作に用いられる制御パラメータなどを記憶した記憶部を備える。ＰＩＤ制御は、計測された温度などの情報および記憶部に記憶されている情報をもとに、半導体製造、プラスチック成型機、食品殺菌滅菌装置などの制御対象の制御を行う。また、近年では、他の機器との間で情報通信する通信機能を備えるようにしている。
【０００４】
上述した調節計やコントローラおよびフィールド機器などの制御機器における制御パラメータなどの設定情報の設定は、情報設定用の外部機器を対象となる制御機器に接続して行っている。例えば、イーサネット（登録商標）により複数の制御機器が接続されてＬＡＮ（Local Area Network）を構成している場合、このＬＡＮに情報設定機器を接続し、対象となる制御機器との間の通信を確立し、制御パラメータの変更や更新などの所定の設定を行う。
【０００５】
このようなネットワークによる接続では、ネットワークに接続している複数の制御機器に対し、同時に設定が行えるなど、複数の制御機器に対して迅速に様々な設定情報の設定を行うことが可能である。しかしながら、このような接続では、情報設定機器にもＬＡＮ接続の機能が必要となり、また、自身のアドレス情報（ＩＰアドレス）などの情報を、接続させるネットワークに合わせるようにネットワーク設定を変更する作業が必要となる。
【０００６】
また、バス接続などにより対象となる制御機器と情報設定機器とを一対一で接続させ、所定の設定を行う方式もある。このような接続形態としては、例えば、ＵＡＲＴ（Universal Asynchronous Receiver Transmitter）による接続、ＵＳＢ（Universal Serial Bus）による接続などがある。このような接続では、上述したネットワークのような接続のための様々なネットワーク設定が必要なく、機器間の通信の確立が非常に容易である。
【０００７】
ところで、制御機器に設定する設定情報は、情報量が非常に多くなっている。このため、例えば、制御機器に最新の設定情報を設定することは、作業者の負担になるとともに誤りが発生するおそれがある。また、ネットワーク接続設定や、情報設定機器の操作が必要になり作業時間が長くなるため、製造ラインの停止時間も長くなってしまう。
【０００８】
上述した情報設定に対し、フラッシュメモリーなどの可搬型記憶媒体を利用した情報設定技術が提案されている（特許文献１参照）。この技術では、可搬型記憶媒体が装着されると、可搬型記憶媒体に記憶されている設定情報が、自動的に制御機器に設定される。このため、ネットワーク接続設定や、情報設定機器の操作などを必要とせず、迅速に情報設定作業が行える。
【先行技術文献】
【特許文献】
【０００９】
【特許文献１】特開２０１４−２１５７００号公報
【発明の概要】
【発明が解決しようとする課題】
【００１０】
しかしながら、上述した技術では制御機器計に装着した可搬型記憶媒体に記憶されている設定情報が、当該制御機器に対応していない場合、この制御機器には誤った設定情報が設定されることになる。このように誤った設定情報が設定されると、例えば、制御対象の製造設備において誤動作や事故発生などの非常に大きな問題が発生することになる。
【００１１】
本発明は、以上のような問題点を解消するためになされたものであり、可搬型記憶媒体を用いて対象とする制御機器に対応した制御情報が設定できるようにすることを目的とする。
【課題を解決するための手段】
【００１２】
本発明に係る制御機器は、設定情報を記憶した設定情報記憶部と、設定情報記憶部に記憶されている設定情報をもとに制御データを生成する制御処理部と、自装置に設定すべき設定情報を識別する装置識別が記憶された識別情報記憶部と、可搬型記憶媒体が接続される接続部と、接続部に接続された可搬型記憶媒体に記憶されている照合情報を読み出す照合情報読出部と、照合情報読出部が読み出した照合情報と識別情報記憶部に記憶されている装置識別との照合により照合情報の認証を行う照合部と、照合部により照合情報の認証がされたことにより接続部に接続された可搬型記憶媒体に記憶されている設定情報を読み出して設定情報記憶部に設定する設定情報設定部とを備える。
【００１３】
上記制御機器において、設定情報設定部は、照合部に認証された照合情報に対応する設定情報を可搬型記憶媒体より読み出して設定情報記憶部に設定する。
【００１４】
上記制御機器において、照合部により照合情報の認証がされたことにより接続部に接続された可搬型記憶媒体に記憶されている設定情報を識別する設定識別情報を読み出し、読み出した設定識別情報を表示部に表示する表示制御部と、表示部に表示された設定識別情報の選択指示を受け付ける入力部とを備え、設定情報設定部は、入力部が選択指示を受け付けたことにより可搬型記憶媒体に記憶されている設定情報を読み出して設定情報記憶部に設定する。
【００１５】
上記制御機器において、接続部に接続された可搬型記憶媒体に記憶されている設定情報の中より自動を示す属性情報を備える設定情報を選択する自動選択部を備え、表示制御部は、接続部に接続された可搬型記憶媒体に記憶されている設定情報の中より自動選択部による選択対象外の設定情報の設定識別情報を読み出して表示部に表示し、設定情報設定部は、自動選択部により選択された設定情報は、照合部により照合情報の認証がされたことにより可搬型記憶媒体より読み出して設定情報記憶部に設定し、自動選択部による選択対象外の設定情報は、入力部が選択指示を受け付けたことにより可搬型記憶媒体より読み出して設定情報記憶部に設定する。
【００１６】
上記制御機器において、装置識別は、自装置のシリアル番号である。また、装置識別は、自装置の型番である。また、装置識別は、型番と自装置における機能を識別するコードとを組み合わせたものである。
【００１７】
上記制御機器において、設定情報設定部は、設定されている許可および不許可を示す可否情報が許可の場合にのみ、設定情報の設定情報記憶部への設定を実施する。
【発明の効果】
【００１８】
以上説明したように、本発明によれば、接続部に接続された可搬型記憶媒体より照合情報読出部が読み出した照合情報と、識別情報記憶部に記憶されている装置識別とを、照合部で照合・認証を行うようにしたので、可搬型記憶媒体を用いて対象とする制御機器に対応した制御情報が設定できるという優れた効果が得られる。
【図面の簡単な説明】
【００１９】
【図１】図１は、本発明の実施の形態１における制御機器の構成を示す構成図である。
【図２】図２は、本発明の実施の形態１における制御機器における設定情報の設定動作について説明するフローチャートである。
【図３】図３は、本発明の実施の形態２における制御機器の構成を示す構成図である。
【図４】図４は、本発明の実施の形態２における制御機器における設定情報の設定動作について説明するフローチャートである。
【図５】図５は、本発明の実施の形態３における制御機器の構成を示す構成図である。
【図６】図６は、本発明の実施の形態３における制御機器における設定情報の設定動作について説明するフローチャートである。
【発明を実施するための形態】
【００２０】
以下、本発明の実施の形態について図を参照して説明する。
【００２１】
［実施の形態１］
はじめに、本発明の実施の形態１について図１を用いて説明する。図１は、本発明の実施の形態１における制御機器の構成を示す構成図である。ここでは、制御機器として、調節計１００を例に説明する。
【００２２】
調節計１００は、設定情報記憶部１０１、制御処理部１０２、識別情報記憶部１０３、接続部１０４、照合情報読出部１０５、照合部１０６、設定情報設定部１０７、入力部１０８を備える。また、調節計１００は、表示部１０９，プログラム記憶部１１０，Ｉ／Ｏ制御部１１１を備える。
【００２３】
調節計１００には、複数のフィールド機器１３１が接続している。例えば、調節計１００は、温度センサなどのフィールド機器１３１からの各入力や、加熱機構などのフィールド機器１３１からの制御値出力の各々が個別に接続するＩ／Ｏデータポイント（不図示）を備えている。
【００２４】
設定情報記憶部１０１は、設定情報を記憶している。制御処理部１０２は、設定情報記憶部１０１に記憶されている設定情報をもとに制御データを生成する。制御処理部１０２は、プログラム格納部１１０に格納されているプログラムにより動作する。制御処理部１０２が生成した制御データは、Ｉ／Ｏ制御部１１１によりフィールド機器１３１に送出される。入力部１０８は、調節計１００の動作に関する指示入力を受け付ける。また、表示部１０９は、調節計１００の動作状態、調節計１００による制御状態などを表示する。
【００２５】
識別情報記憶部１０３は、自装置に設定すべき設定情報を識別する装置識別を記憶している。装置識別は、例えば、自装置のシリアル番号である。また、装置識別は、自装置の型番である。また、設定機器の型番と制御機器における機能を識別するコードとを組み合わせて装置識別としてもよい。接続部１０４は、可搬型記憶媒体（不図示）が接続される。可搬型記憶媒体は、例えば、ＵＳＢ（Universal Serial Bus）メモリーやＳＤ（Secure Digital）メモリーカードなどのフラッシュメモリーである。
【００２６】
照合情報読出部１０５は、接続部１０４に接続された可搬型記憶媒体に記憶されている照合情報を読み出す。照合部１０６は、照合情報読出部１０５が読み出した照合情報と識別情報記憶部１０３に記憶されている装置識別との照合により照合情報の認証を行う。照合情報は、装置識別に対応するものであり、自装置のシリアル番号や、自装置の型番である。
【００２７】
設定情報設定部１０７は、照合部１０６により照合情報の認証がされたことにより、接続部１０４に接続された可搬型記憶媒体に記憶されている設定情報を読み出して設定情報記憶部１０１に設定する。設定情報は、例えば、ＰＩＤ制御のためのＰＩＤ値、制御のためのＳＰ（set point）値、警報出力のためのＰＶ（process value）値の上限，下限などから構成されている。
【００２８】
ここで、可搬型記憶媒体には、所定のファイルシステムによりファイルとして設定情報が記憶されている。照合情報は、設定情報とは別の独立したファイルとして可搬型記憶媒体に記憶されていてもよく、設定情報のファイルのファイル名の一部として設定されていても良い。照合情報を独立したファイルとして設ける場合、例えば、調節計１００を用いた可搬型記憶媒体のフォーマット（初期化）において、識別情報記憶部１０３に記憶されている装置識別を、照合情報として可搬型記憶媒体にコピーすればよい。このようにすることで、調節計１００に対して可搬型記憶媒体を一意に設定できる。
【００２９】
また、照合情報を設定情報のファイルのファイル名の一部とする場合、例えば、設定情報のファイル名の先頭８文字を照合情報としておけば良い。このように設定情報のファイルのファイル名の一部に照合情報が設定されている場合、照合情報読出部１０５は、可搬型記憶媒体に記憶されているファイルのファイル名の中より、設定されている所定の部分を、照合情報として読み出せば良い。また、設定情報設定部１０７は、認証された照合情報を備えるファイル名のファイルを、接続部１０４に接続された可搬型記憶媒体より読み出して設定情報記憶部１０１に設定すればよい。
【００３０】
また、ファイルシステムで用いられるフォルダを利用することも可能である。フォルダ名を照合情報として用い、このフォルダの中に設定情報のファイルが格納された状態とする。この場合、照合情報読出部１０５は、可搬型記憶媒体に記憶されているフォルダのフォルダ名を照合情報として読み出せば良い。また、設定情報設定部１０７は、認証された照合情報を備えるフォルダ名のフォルダ内のファイルを、接続部１０４に接続された可搬型記憶媒体より読み出して設定情報記憶部１０１に設定すればよい。なお、設定情報設定部１０７は、設定されている許可および不許可を示す可否情報が許可の場合にのみ、設定情報の設定情報記憶部１０１への設定を実施するようにしても良い。
【００３１】
また、特定ファイルに照合情報が格納された状態としてもよい。特定ファイルとは、例えば型番をファイル名とすることでも良い。照合情報読出部１０５は、可搬型記憶媒体に記憶されている上記特定ファイルより、照合情報を読み出せば良い。また、設定情報設定部１０７は、認証された照合情報を備える上記特定ファイルを、接続部１０４に接続された可搬型記憶媒体より読み出して設定情報記憶部１０１に設定すればよい。
【００３２】
次に、実施の形態１における制御機器（調節計１００）における設定情報の設定動作について、図２のフローチャートを用いて説明する。
【００３３】
まず、ステップＳ１０１で、接続部１０４に可搬型記憶媒体が接続された状態が検出されると（ステップＳ１０１のｙ）、ステップＳ１０２で、照合情報読出部１０５が、接続部１０４に接続された可搬型記憶媒体に記憶されている照合情報を読み出す。
【００３４】
次に、ステップＳ１０３で、照合部１０６が、照合情報読出部１０５が読み出した照合情報と、識別情報記憶部１０３に記憶されている装置識別とを照合する。この照合により照合情報が認証されると（ステップＳ１０３のｙ）、ステップＳ１０４で、設定情報設定部１０７が、接続部１０４に接続された可搬型記憶媒体に記憶されている設定情報を読み出して設定情報記憶部１０１に設定する。一方、ステップＳ１０３の照合で、照合情報が認証されない場合（ステップＳ１０３のｎ）、ステップＳ１０５で、表示部１０９に、設定情報が異なることを示す警告を表示する。
【００３５】
以上に説明したように、本発明の実施の形態１における制御機器では、可搬型記憶媒体に記憶されている照合情報と、識別情報記憶部に記憶された装置識別との照合が認証されると、可搬型記憶媒体に記憶されている設定情報が設定情報記憶部に設定されるようにした。この結果、制御機器に対応していない誤った設定情報の設定が防げるようになり、可搬型記憶媒体を用いて対象とする制御機器に対応した制御情報が設定できるようになる。
【００３６】
また、同じ設定情報を設定する複数の制御機器に対し、１つの可搬型記憶媒体により設定情報の設定を実施することも可能である。例えば、装置識別として型番を用いれば、型番が同一の複数の制御機器に対し、１つの可搬型記憶媒体により、同一の設定情報が設定できる。また、装置識別としてシリアル番号を用いる場合、同じ型番の複数の制御機器の中で、特定の制御機器のみに対し、所望とする設定情報の設定が実施できる。
【００３７】
また、前述したように、ファイル名，フォルダ名を利用することで、可搬型記憶媒体に、設定対象の設定情報と、設定対象外の設定情報とを記憶させ、照合情報が認証された設定対象の設定情報（認証された照合情報に対応する設定情報）可搬型記憶媒体より読み出して設定情報記憶部に設定することが可能となる。
【００３８】
また、異なる複数の制御機器に対する設定情報を、１つの可搬型記憶媒体に記憶させることができる。この場合、１つの可搬型記憶媒体で、異なる複数の制御機器に対して対応した制御情報が設定できるようになる。
【００３９】
また、設定機器の型番と制御機器における機能を識別するコードとを組み合わせて装置識別（照合情報）とすれば、１つの可搬型記憶媒体に、型番が同一で機能が異なる複数の制御機器に対する設定情報を記憶させることができる。この場合、１つの可搬型記憶媒体で、型番が同一で機能が異なる複数の制御機器に対して対応した制御情報が設定できるようになる。この場合においても、型番が同一で機能が同一の複数の制御機器であれば、１つの可搬型記憶媒体で、各制御機器に対応した制御情報が設定可能である。
【００４０】
［実施の形態２］
次に、本発明の実施の形態２について図３を用いて説明する。図３は、本発明の実施の形態２における制御機器の構成を示す構成図である。ここでは、制御機器として、調節計２００を例に説明する。
【００４１】
調節計２００は、設定情報記憶部１０１、制御処理部１０２、識別情報記憶部１０３、接続部１０４、照合情報読出部１０５、照合部１０６、設定情報設定部１０７、入力部１０８を備える。また、調節計２００は、表示部１０９，プログラム記憶部１１０，Ｉ／Ｏ制御部１１１を備える。調節計２００には、複数のフィールド機器１３１が接続している。
【００４２】
上述した構成は、前述した実施の形態１と同様である。実施の形態２では、上述した構成に加えて表示制御部２０１を備える。表示制御部２０１は、照合部１０６により照合情報の認証がされたことにより接続部１０４に接続された可搬型記憶媒体（不図示）に記憶されている設定情報を識別する設定識別情報を読み出し、読み出した設定識別情報を表示部１０９に表示する。
【００４３】
実施の形態２では、上述したことにより表示部１０９に表示された設定識別情報の選択指示を入力部１０８が受け付けると、設定情報設定部１０７が、可搬型記憶媒体に記憶されている設定情報を読み出して設定情報記憶部１０１に設定する。なお、設定情報記憶部１０１、制御処理部１０２、識別情報記憶部１０３、接続部１０４、照合情報読出部１０５、照合部１０６、入力部１０８、表示部１０９，プログラム記憶部１１０，Ｉ／Ｏ制御部１１１は、前述した実施の形態１と同様であり、説明を省略する。
【００４４】
次に、実施の形態２における制御機器（調節計２００）における設定情報の設定動作について、図４のフローチャートを用いて説明する。
【００４５】
まず、ステップＳ１０１で、接続部１０４に可搬型記憶媒体が接続された状態が検出されると（ステップＳ１０１のｙ）、ステップＳ１０２で、照合情報読出部１０５が、接続部１０４に接続された可搬型記憶媒体に記憶されている照合情報を読み出す。
【００４６】
次に、ステップＳ１０３で、照合部１０６が、照合情報読出部１０５が読み出した照合情報と、識別情報記憶部１０３に記憶されている装置識別とを照合する。この照合により照合情報が認証されると（ステップＳ１０３のｙ）、ステップＳ２０１で、表示制御部２０１が、接続部１０４に接続された可搬型記憶媒体に記憶されている設定情報を識別する設定識別情報を読み出す。
【００４７】
次に、ステップＳ２０２で、表示制御部２０１が、読み出した設定識別情報を表示部１０９に表示する。例えば、可搬型記憶媒体に記憶されている設定情報のファイル名が、設定識別情報として表示部１０９に表示される。一般に、設定情報のファイルには、情報の内容を識別することが可能なファイル名が付けられている。従って、ファイル名は、可搬型記憶媒体に記憶されている設定情報を識別する設定識別情報として用いることが可能である。また、フォルダ名を設定識別情報としても良い。
【００４８】
次に、ステップＳ２０３で、表示部１０９に表示された設定識別情報の、入力部１０８に対する選択指示の入力を検出する。入力部１０８による表示部１０９に表示された設定識別情報の選択指示を検出する（受け付ける）と（ステップＳ２０３のｙ）、ステップＳ２０４で、設定情報設定部１０７が、接続部１０４に接続された可搬型記憶媒体に記憶されている設定情報を読み出して設定情報記憶部１０１に設定する。一方、ステップＳ１０３の照合で、照合情報が認証されない場合（ステップＳ１０３のｎ）、ステップＳ２０５で、表示部１０９に、設定情報が異なることを示す警告を表示する。
【００４９】
以上に説明したように、本発明の実施の形態２における制御機器でも、可搬型記憶媒体に記憶されている照合情報と、識別情報記憶部に記憶された装置識別との照合が認証されると、可搬型記憶媒体に記憶されている設定情報が設定情報記憶部に設定される。この結果、制御機器に対応していない誤った設定情報の設定が防げるようになり、可搬型記憶媒体を用いて対象とする制御機器に対応した制御情報が設定できるようになる。
【００５０】
また、実施の形態２では、表示部に表示された設定識別情報の選択指示入力により設定情報の設定を行うようにしたので、表示部に表示された複数の設定識別情報の中より、所定の選択識別情報を選択し、対応する設定情報の設定を実施することが可能となる。
【００５１】
［実施の形態３］
次に、本発明の実施の形態３について図５を用いて説明する。図５は、本発明の実施の形態３における制御機器の構成を示す構成図である。ここでは、制御機器として、調節計３００を例に説明する。
【００５２】
調節計３００は、設定情報記憶部１０１、制御処理部１０２、識別情報記憶部１０３、接続部１０４、照合情報読出部１０５、照合部１０６、設定情報設定部１０７、入力部１０８、表示制御部２０１を備える。また、調節計３００は、表示部１０９，プログラム記憶部１１０，Ｉ／Ｏ制御部１１１を備える。調節計３００には、複数のフィールド機器１３１が接続している。
【００５３】
上述した構成は、前述した実施の形態２と同様である。実施の形態３では、上述した構成に加えて自動選択部３０１を備える。自動選択部３０１は、接続部１０４に接続された可搬型記憶媒体（不図示）に記憶されている設定情報の中より自動を示す属性情報を備える設定情報を選択する。例えば、設定情報のファイル名の一部に所定の文字列が含まれている場合、この設定情報が自動選択部３０１に選択される。また、自動を示す文字列によるフォルダ名に格納されている設定情報のファイルが、自動選択部３０１に選択される。
【００５４】
表示制御部２０１は、照合部１０６により照合情報の認証がされたことにより接続部１０４に接続された可搬型記憶媒体に記憶されている設定情報の中で、自動選択部３０１による選択対象外の設定情報を識別する設定識別情報を読み出し、読み出した設定識別情報を表示部１０９に表示する。
【００５５】
実施の形態３では、上述したことにより表示部１０９に表示された設定識別情報の選択指示を入力部１０８が受け付けると、設定情報設定部１０７が、自動選択部３０１による選択対象外の設定情報を、可搬型記憶媒体より読み出して設定情報記憶部１０１に設定する。また、設定情報設定部１０７は、表示される複数の選択識別情報の中より選択された設定識別情報で識別される設定情報を、可搬型記憶媒体より読み出して設定情報記憶部１０１に設定する。
【００５６】
また、設定情報設定部１０７は、自動選択部３０１により選択された設定情報は、照合部１０６により照合情報の認証がされると、可搬型記憶媒体より読み出して設定情報記憶部１０１に設定する。自動選択部３０１により選択された設定情報は、表示部１０９に表示されることがない。
【００５７】
なお、設定情報記憶部１０１、制御処理部１０２、識別情報記憶部１０３、接続部１０４、照合情報読出部１０５、照合部１０６、入力部１０８、表示部１０９，プログラム記憶部１１０，Ｉ／Ｏ制御部１１１は、前述した実施の形態１，２と同様であり、説明を省略する。
【００５８】
次に、実施の形態３における制御機器（調節計３００）における設定情報の設定動作について、図６のフローチャートを用いて説明する。
【００５９】
まず、ステップＳ１０１で、接続部１０４に可搬型記憶媒体が接続された状態が検出されると（ステップＳ１０１のｙ）、ステップＳ１０２で、照合情報読出部１０５が、接続部１０４に接続された可搬型記憶媒体に記憶されている照合情報を読み出す。
【００６０】
次に、ステップＳ１０３で、照合部１０６が、照合情報読出部１０５が読み出した照合情報と、識別情報記憶部１０３に記憶されている装置識別とを照合する。この照合により照合情報が認証されると（ステップＳ１０３のｙ）、ステップＳ３０１で、自動選択部３０１は、接続部１０４に接続された可搬型記憶媒体に記憶されている設定情報の中より自動を示す属性情報を備える設定情報を検索する。
【００６１】
自動を示す属性情報を備える設定情報が記憶されている場合（ステップＳ３０１のｙ）、ステップＳ３０２で、自動選択部３０１が、自動を示す属性情報を備える設定情報を選択する。次いで、ステップＳ３０３で、設定情報設定部１０７が、選択された設定情報を可搬型記憶媒体より読み出して設定情報記憶部１０１に設定して終了する。
【００６２】
自動を示す属性情報を備える設定情報が記憶されていない場合（ステップＳ３０１のｎ）、設定情報設定部１０７が、選択された設定情報を可搬型記憶媒体より読み出して設定情報記憶部１０１に設定した後、ステップＳ３０４に進み、表示制御部２０１が、照合部１０６により照合情報の認証がされたことにより接続部１０４に接続された可搬型記憶媒体に記憶されている設定情報の中で、自動選択部３０１による選択対象外の設定情報を識別する設定識別情報を読み出す。
【００６３】
次に、ステップＳ３０５で、表示制御部２０１が、読み出した設定識別情報を表示部１０９に表示する。次に、ステップＳ３０６で、表示部１０９に表示された設定識別情報の、入力部１０８に対する選択指示の入力を検出する。入力部１０８による表示部１０９に表示された設定識別情報の選択指示を検出すると（ステップＳ３０６のｙ）、ステップＳ３０７で、設定情報設定部１０７が、指示選択された設定識別情報で識別される設定情報を、可搬型記憶媒体より読み出して設定情報記憶部１０１に設定する。なお、ステップＳ１０３の照合で、照合情報が認証されない場合（ステップＳ１０３のｎ）、ステップＳ３０８で、表示部１０９に、設定情報が異なることを示す警告を表示する。
【００６４】
以上に説明したように、本発明の実施の形態３における制御機器でも、可搬型記憶媒体に記憶されている照合情報と、識別情報記憶部に記憶された装置識別との照合が認証されると、可搬型記憶媒体に記憶されている設定情報が設定情報記憶部に設定される。この結果、制御機器に対応していない誤った設定情報の設定が防げるようになり、可搬型記憶媒体を用いて対象とする制御機器に対応した制御情報が設定できるようになる。
【００６５】
また、実施の形態３でも、表示部に表示された設定識別情報の選択指示入力により設定情報の設定を行うようにしたので、表示部に表示された複数の設定識別情報の中より、所定の選択識別情報を選択し、対応する設定情報の設定を実施することが可能となる。また、実施の形態３では、可搬型記憶媒体に記憶されている設定情報の中の、自動を示す属性情報を備える設定情報は、表示されることなく自動的に設定が実施されるので、より迅速な設定が可能となる。
【００６６】
以上に説明したように、本発明によれば、接続部に接続された可搬型記憶媒体より照合情報読出部が読み出した照合情報と、識別情報記憶部に記憶されている装置識別とを、照合部で照合・認証を行うようにしたので、可搬型記憶媒体を用いて対象とする制御機器に対応した制御情報が、誤りを抑制した状態で設定できるようになる。
【００６７】
なお、本発明は以上に説明した実施の形態に限定されるものではなく、本発明の技術的思想内で、当分野において通常の知識を有する者により、多くの変形および組み合わせが実施可能であることは明白である。例えば、上述では、制御機器として調節計を例に説明したが、これに限るものではなく、フィールド機器であっても同様である。
【符号の説明】
【００６８】
１００…調節計、１０１…設定情報記憶部、１０２…制御処理部、１０３…識別情報記憶部、１０４…接続部、１０５…照合情報読出部、１０６…照合部、１０７…設定情報設定部、１０８…入力部、１０９…表示部、１１０…プログラム記憶部、１１１…Ｉ／Ｏ制御部、１３１…フィールド機器。
【図１】
2017097525.tif 000003
【図２】
2017097525.tif 000004
【図３】
2017097525.tif 000005
【図４】
2017097525.tif 000006
【図５】
2017097525.tif 000007
【図６】
2017097525.tif 000008